(57)【要約】【課題】    本発明は、ＬＥＤのような方向性を持った輝度の高い光源を、効率よく且つ使用者側に直接光が向かわないように設けると共に、この効果を得るために照明器具の設置方向を間違えないような機構が備えられた照明器具を提案することを目的としている。【解決手段】  本発明では、キャビネット本体と、前記キャビネット本体の底面に取り付けられる照明器具とを備えた照明付キャビネットにおいて、前記照明器具は、光源としてＬＥＤを備え、前記キャビネット本体の底面に対して傾斜した方向に光を照射するよう取り付けられるように、前記キャビネット本体は、被取付規制手段を備え、前記照明器具は、前記被取付規制手段と対応するような取付方向規制手段を備えることを特徴とする照明付キャビネットを提供する。【選択図】  図６
2008251508.tif 000002
【特許請求の範囲】
【請求項１】
キャビネット本体と、
前記キャビネット本体の底面に取り付けられる照明器具と
を備えた照明付キャビネットにおいて、
前記照明器具は、光源としてＬＥＤを備え、
前記キャビネット本体の底面に対して傾斜した方向に光を照射するよう取り付けられるように、
前記キャビネット本体は、被取付規制手段を備え、
前記照明器具は、前記被取付規制手段と対応するような取付方向規制手段を備えることを特徴とする照明付キャビネット。
【請求項２】
請求項１に記載の照明付キャビネットを備えることを特徴とするシステムキッチン。
【発明の詳細な説明】
【技術分野】
【０００１】
本発明は、照明器具に係り、特にLEDを光源とする照明器具に関する発明である。  
【背景技術】
【０００２】
従来、照明器具として、家具等に設置して光を発するというものは既に存在する。例えば、吊戸棚の下面に蛍光灯を光源とする照明器具を配し、少なくとも前面を半透明の部材としたカバーを設けるものがあった(例えば、特許文献１参照)。しかしながら、白熱灯や蛍光灯を用いたものは消費電力が大きく、しかも電球が切れ易く、ほぼ一定期間ごとに電球交換を行わなければならないといった面倒があった。また、照明器具の光源として、消費電力が少なく寿命も長いLEDを用いた照明器具が既に存在する（例えば、特許文献２参照）。しかしながら、LEDは輝度が高いため、使用者に向かう光が存在した場合は、使用者に眩しさを感じさせてしまうという問題があった。
一方本出願人は、光源のカバーを備えた照明器具を開示している（例えば、特許文献２参照）。
【特許文献１】特開平１１−２３２９２３号公報
【特許文献２】特開２００５−１０８６９４号公報
【特許文献３】特開２００３−２４９１１３号公報
【発明の開示】
【発明が解決しようとする課題】
【０００３】
本発明は、上記問題を解決するためになされたもので、本発明の課題は、ＬＥＤのような方向性を持った輝度の高い光源を、効率よく且つ使用者側に直接光が向かわないように設けると共に、この効果を得るために照明器具の設置方向を間違えないような機構が備えられた照明器具を提案することにある。
【課題を解決するための手段】
【０００４】
本発明では、キャビネット本体と、前記キャビネット本体の底面に取り付けられる照明器具とを備えた照明付キャビネットにおいて、前記照明器具は、光源としてＬＥＤを備え、前記キャビネット本体の底面に対して傾斜した方向に光を照射するよう取り付けられるように、前記キャビネット本体は、被取付規制手段を備え、前記照明器具は、前記被取付規制手段と対応するような取付方向規制手段を備えることを特徴とする照明付キャビネットを提供する。
【発明の効果】
【０００５】
本発明によれば、ＬＥＤのような方向性を持った輝度の高い光源を、効率良く且つ使用者側に直接光が向かわないように設けると共に、この効果を得るために照明器具の設置方向を間違えないような機構が備えられた照明器具が提供される。
【発明を実施するための最良の形態】
【０００６】
以下、本発明の実施例１の概略を添付図面に示す実施形態に基づいて説明する。
図１に示すシステムキッチンは、カウンターとフロアキャビネット本体からなるフロアキャビネット４０と、フロアキャビネット２０の直上に配置されたキャビネット本体であるウォールキャビネット１およびウォールキャビネット１０と、それらに底面の、システムキッチンの利用者から見て手前側に取り付けられた照明器具２０とよりなる照明付キャビネット１００と、レンジフード２を備えている。ウォールキャビネット１０は、図２の断面図に示すように裏板１３と図示しない側板と、図示しない天板と、ウォールキャビネット１０の底面をなす底板１２と、扉１１と、取り外し可能な仕切り板１４からなる。また、この仕切り板１４によってキャビネット庫内は収納スペース１５と照明器具収納スペース１６とに区切られる。また照明器具２０は、制御部２２、コンセント２３、配線２１を備えている。また、フロアキャビネット４０は、調理作業に必要な器具を搭載したカウンター５とキャビネット７、キャビネット８、キャビネット９を備える。また、カウンター５は、水周り作業スペースシンク３、調理作業スペース４、火まわり作業スペースコンロ６に使い分けられる。本発明はウォールキャビネット１、ウォールキャビネット１０のどちらにも設けることが可能だが、後に詳述するように、特に調理作業スペース４の上方に設置される事で使用者の下ごしらえ作業の効率を良くする。
【０００７】
次にウォールキャビネット１０への照明器具２０の取り付け方法について説明する。
本実施例においては、１つのキャビネットに２つ照明器具を設置できるようになっており、その内の１つについて説明する。ウォールキャビネット１０の扉１１を開け、仕切り板１４を外すと、底板１２が現れる。底板１２には、図４に示すように、照明器具埋め込み穴１７と被取付規制手段である位置決めピン用穴１８が設けられている。照明器具２０は図３に示すように、照明部３０と、ＬＥＤを用いた光源３２と、取付位置規制手段である位置決めピン２４と放熱板２５からなる。この照明器具２０が、ウォールキャビネット１０の底板１２に開けられた照明器具埋め込み穴１７と位置決めピン用穴１８に合うように上方から設置される。本発明は取り付け方向を間違えると、照射方向が変化して水周り作業スペースシンク３、調理作業スペース４、の中央部を効果的に照らす事が出来ずに、後に詳述する本発明の効果を得る事ができなくなってしまう。そのため、位置決めピン２４と位置決めピン用穴１８によって、照明器具２０を取りつける際、使用者が照射方向を間違えないようにしている。もし使用者が照明器具２０の方向を間違った状態でウォールキャビネット１０に取り付けようとした場合、位置決めピン２４は底板１２に引っかかってしまうため、照明器具２０を取り付けることはできない。また、位置決めピン用穴１８はザグリ穴であって、照明器具２０を取り付けた後もウォールキャビネット１０の底面から位置決めピン２４は見えず、意匠性が良い。また、この時照明部３０は、傾斜部３１に光源３２が、作業者からみてキャビネット奥行き方向（図１に示すXの方向）に照射するように取り付けられた構造になっている。また、本実施例では光源３２が、平面状の板に円柱状の光の粒が整列して埋め込まれているが、図７に示すように半球状の光の粒が傾斜部３１に円形に表面実装されていても良い。また、傾斜部３１の傾斜角度は１５度以上が望ましい。
【０００８】
次に、本発明の動作について説明する。
使用者が照明器具２０のスイッチ(図示しない)を入れると、制御部２２を介してコンセント２３から電源が入り、照明器具２０が作動し、水周り作業スペースシンク３、調理作業スペース４上を照らす。また、使用者がスイッチを切ると、照明器具２０は消灯する。
【０００９】
次に、本発明の効果について説明する。
照明の光源にLEDを使用した時、LEDは輝度が高く眩しさを感じやすい光源であると同時に、方向性を持った光源である。図６に示すように、ウォールキャビネット１０の下面に照明器具２０を作業者から見てカウンター奥行き方向に傾斜させて照射するように設置する事により、照射方向を水周り作業スペースシンク３、調理作業スペース４の中央部とすることができ、カウンター直上に平行に光源を取り付けるよりも、同一の光源でありながら照射面積を広くする事ができる。これにより、光源自身の照射範囲が狭くても効率的にカウンター上を照らす事ができる。また、矢印Ｂの向きで使用者が照明器具を見ても直接光源が目に入る事がなく、眩しさを感じない。上記効果を奏するためには、光源が、設置位置の直下よりもカウンター奥行き方向に向かって傾斜した方向に光を発する必要がある。本実施例においては、光源は、カウンター奥行き方向側が高く、カウンター手前側が低い状態で取り付けられている。そのため、照明器具２０に取付位置規制手段として位置決めピン２４を設け、キャビネット側に設けられた照明器具埋め込み穴１７と被取付規制手段である位置決めピン用穴１８に合うように設置する事によって、誤った向きに取り付けられることを防止している。もし使用者が照明器具２０をウォールキャビネット１０に、間違った向きに取り付けようとした場合は、位置決めピン２４が底板１２に引っかかってしまうため、照明器具２０を取り付けることはできない。これにより、使用者が間違った向きに照明器具２０を取り付けることはない。
【００１０】
次に、本発明の実施例２の概略を添付図面に示す実施形態に基づいて説明する。実施例２は、実施例１と異なり、後に詳述するように照明器具の設置方向抑制構造が異なるものである。
【００１１】
図８に示すシステムキッチンは、カウンターとフロアキャビネット本体からなるフロアキャビネット６２と、フロアキャビネット６２の上方に配置されたキャビネット本体であるウォールキャビネット５２、ウォールキャビネット５３と、それらの底面に取り付けられる照明器具７０とよりなる照明付キャビネット２００と、レンジフード５４を備えている。ウォールキャビネット５３は、図９の断面図に示すように裏板７７と図示しない側板と、図示しない天板と、ウォールキャビネット５３の底面をなす底板７９と、扉７６と、取り外し可能な仕切り板７５からなる。また、この仕切り板７５によってキャビネット庫内は収納スペース７８と照明器具収納スペース７４とに区切られる。また照明器具７０は図８に示すフロアキャビネット６２の間口方向（Y方向）に２個連なっており、制御部７２、コンセント７３、配線７１を備えている。また、フロアキャビネット６２は、調理作業に必要な器具を搭載したカウンター５８とキャビネット５９、キャビネット６０、キャビネット６１を備える。また、カウンター５８は、水周り作業スペースシンク５５、調理作業スペース５６、火まわり作業スペースコンロ５７に使い分けられる。また、本実施例はウォールキャビネット５１、ウォールキャビネット５２のどちらにもついている。
【００１２】
次にウォールキャビネット５２への照明器具７０の取り付け方法について説明する。
ウォールキャビネット５２の扉を開け、仕切り板７５を外すと、底板７９が現れ、底板７９は図１１に示すように、被取付規制手段として略三角形状をした照明器具埋め込み穴８５、８６が開いている。照明器具７０は図１０に示すように、取付方向規制手段として略三角形状をした照明部８１、８２と照明部８１の内部に埋め込まれたセンサー８３と２つの照明部連結板８０からなる。この照明器具７０の照明部８１が、ウォールキャビネット５２の底板７９に開けられた照明器具埋め込み穴８５に、照明部８２が照明器具埋め込み穴８６に合うように上方から設置される。このように本実施例は実施例１と異なり、形状によって取り付け方向の抑制をしている。もし本実施例において、使用者が間違った方向に照明器具７０を取り付けようとした場合、照明部８２が底板７９に引っかかってしまい、照明器具７０を取り付けることはできない。
また、本実施例においては、１つのキャビネットに２つの照明部を同時に設置できるようになっている。
【００１３】
次に、本発明の動作について説明する。
使用者が照明器具７０に近づくとセンサー８３が反応し、制御部２２を介してコンセント２３から電源が入り、照明器具７０が作動し、水周り作業スペースシンク３、調理作業スペース４上を照らす。また、使用者が照明器具から離れると、照明器具７０は自動的に消灯する。
【００１４】
本実施例においては、被取付規制手段は照明器具埋め込み穴８６の形状、取付方向規制手段は照明部８２の形状となっている。もし本実施例において、使用者が間違った方向に照明器具７０を取り付けようとした場合、照明部８２が底板７９に引っかかってしまい、ウォールキャビネットに照明器具７０を取り付けることはできない。この場合、被取付部側にピン穴等の特別な加工をする必要はなく、照明器具側にピン等の部材を設ける必要もない。そのため、照明器具とウォールキャビネットをシンプルな構成とすることができ、複数の光源を有する照明器具を設ける場合などに有用である。
【００１５】
以上、実施例を参照しつつ本発明の実施形態について説明した。しかし、本発明はこれら実施例に限定されるものではない。本発明の要旨を変更しない範囲において適宜設計変更して採用したものも、本発明の要旨を有する限りにおいて本発明の範囲に包含される。
【図面の簡単な説明】
【００１６】
【図１】本発明の実施例１に関わる照明付キャビネットの実施例を示すシステムキッチンの斜視図である。
【図２】本発明の実施例１に関わる照明付キャビネットの詳細図である。
【図３】本発明の実施例１に関わる照明器具の詳細図である。
【図４】本発明の実施例１に関わる照明器具のウォールキャビネットへの設置方法を示した図である。
【図５】本発明の実施例１に関わる照明器具の正面図と底面図と断面図である。
【図６】本発明の実施例１に関わる照明付キャビネットの効果イメージを示した図である。
【図７】本発明の実施例１に関わる照明器具の光源が異なる形の場合の正面図と底面図と断面図である。
【図８】本発明の実施例２に関わる照明付キャビネットの実施例を示すシステムキッチンの斜視図である。
【図９】本発明の実施例２に関わる照明付キャビネットの詳細図である。
【図１０】本発明の実施例２に関わる照明器具の詳細図である。
【図１１】本発明の実施例２に関わる照明器具のウォールキャビネットへの設置方法を示した図である。
【符号の説明】
【００１７】
１…ウォールキャビネット
１０…ウォールキャビネット
１１…扉
１２…底板
１３…裏板
１４…仕切り板
１６…照明器具収納スペース
１７…照明器具埋め込み穴
１８…位置決めピン用穴
２０…照明器具
２１…配線
２２…制御部
２３…コンセント
２４…位置決めピン
２５…放熱板
３０…照明部
３１…放熱部
３２…光源
５１…ウォールキャビネット
５２…ウォールキャビネット
７０…照明器具
７１…配線
７２…制御部
７３…コンセント
７４…照明器具収納スペース
７５…仕切り板
７９…底板
８０…照明部連結板
８１…照明部
８２…照明部
８３…センサー
８５…照明器具埋め込み穴
８６…照明器具埋め込み穴
１００…照明付キャビネット
２００…照明付キャビネット
【図１】
2008251508.tif 000003
【図２】
2008251508.tif 000004
【図３】
2008251508.tif 000005
【図４】
2008251508.tif 000006
【図５】
2008251508.tif 000007
【図６】
2008251508.tif 000008
【図７】
2008251508.tif 000009
【図８】
2008251508.tif 000010
【図９】
2008251508.tif 000011
【図１０】
2008251508.tif 000012
【図１１】
2008251508.tif 000013